(57)【特許請求の範囲】
【請求項１】
プレキャストコンクリート板を組み立ててコンクリート型枠を設置し、前記コンクリート型枠内にコンクリートを打設し、ほぼ均一の断面で上下に延在する柱部と、この柱部の上端で柱部の左右に張り出された張り出し部とを有するコンクリート橋脚を構築する方法であって、前記柱部を形成する際に、柱部の内部に柱部の上端から上方に突出する縦鋼材を固定しておき、前記張り出し部をなすコンクリート型枠の内部で、前記柱部の左右に突出する箇所にわたり柱部の左右方向に延在する横鋼材を取付け、前記柱部の形成後、前記張り出し部をなすコンクリート型枠を柱部の上端に連結する際に、前記横鋼材を縦鋼材に連結し前記張り出し部をなすコンクリート型枠を柱部に仮固定するようにした、
ことを特徴とするコンクリート橋脚の構築方法。
【請求項２】
前記張り出し部をなすコンクリート型枠は、前記柱部の直上に位置する中央部型枠と、
前記中央部型枠の左右に連結される左右の側部型枠との三つの分割体から構成されている請求項１記載のコンクリート橋脚の構築方法。
【請求項３】
前記柱部の最上部から、鋼材から成る複数の曲げ主材が上方に突出し、前記中央部型枠の内側に前記曲げ主材が配置される請求項２記載のコンクリート橋脚の構築方法。
【請求項４】
前記中央部型枠は、互いに対向する前プレキャストコンクリート板と後プレキャストコンクリート板により左右の側部及び上部並びに下部が開放状に形成されている請求項２記載のコンクリート橋脚の構築方法。
【請求項５】
前記左右の側部型枠は、互いに対向する前プレキャストコンクリート板と後プレキャストコンクリート板と、中央部型枠から離れた外端部箇所で前プレキャストコンクリート板と後プレキャストコンクリート板を連結する端部プレキャストコンクリート板と、中央部型枠側から外端部側に向けて徐々に上昇し前記前プレキャストコンクリート板と後プレキャストコンクリート板と端部プレキャストコンクリート板の下端を連結する底部プレキャストコンクリート板とで、上部並びに中央部型枠側が開放状に形成されている請求項２記載のコンクリート橋脚の構築方法。
【請求項６】
前記底部プレキャストコンクリート板の上面に、横鋼材との結合用の取り付け片が設けられている請求項５記載のコンクリート橋脚の構築方法。
【請求項７】
前記プレキャストコンクリート板に複数のひび割れ分散筋が埋め込まれると共に、その内面には帯鉄筋が配筋されている請求項４または５記載のコンクリート橋脚の構築方法。
【発明の詳細な説明】
【０００１】
【発明の属する技術分野】
本発明はコンクリートの橋脚を構築する方法に関するものである。
【０００２】
【従来の技術】
鉄筋コンクリート橋脚の従来の構築方法について図面を参照して説明する。
図１９、図２０の（Ａ）および（Ｂ）は従来のコンクリート橋脚の構築方法を示す説明図である。
従来の構築方法では、まず、図１９の（Ａ）に示すように、基礎部１０２（フーチン部）を施工後、構築すべきコンクリート橋脚の外側の４面に作業足場１０４を組み立てる。
次に、作業員が作業足場１０４に乗り、主筋、帯鉄筋などの鉄筋１０６を組み立て、その後、セパレータや支保工１０８を用いてコンクリート型枠１１０を組み立てる。次に、コンクリート型枠１１０にコンクリートを打設し、コンクリートの硬化後、支保工１０８およびコンクリート型枠１１０を解体して取り外し、第１リフトの施工が完了する。
第２リフト以降も図１９の（Ｂ）および図２０の（Ａ）に示すように、第１リフトと同様の作業を揚重機１１２を用いて行い、順次橋脚を上方へと構築していき、図２０の（Ｂ）に示すようにコンクリート橋脚の柱部１１５が構築される。
【０００３】
図２１は、このようにして構築されたコンクリート橋脚の柱部の断面平面図である。
この図に示すように、コンクリート橋脚１１４の表層部には曲げ主材である主筋１１６が多数、密に配列され、コンクリート橋脚１１４の曲げ耐力を確保する構造となっている。主筋１１６の外側に帯鉄筋１１８が配筋され、また、内側には主筋１１６の座屈を防止するために中間帯鉄筋１１９がコンクリート橋脚１１４を横断して縦横に配置されている。主筋１１６は表層部に配列され拘束度が低いので中間帯鉄筋１１９による座屈防止が必ず必要である。中間帯鉄筋１１９の間隔は、必要な強度を得るために、横方向では１００ｃｍ以下、上下方向では１５ｃｍ〜３０ｃｍ程度としなければならない。
【０００４】
図２２はコンクリート橋脚の張り出し部の構築方法を示す説明図である。
図２２に示すように、張り出し部１２０の構築にあたっては柱部１１５が利用され、柱部１１５にアンカー１２６を埋め込み、そのアンカー１２６に固定する形で足場兼用の支保工１２２を柱部上端の両側に鋼材を用いて組み上げる。その上に木製あるいは鋼製の型枠材を用いて型枠１２４を形成し、さらにその内側に鉄筋を配筋してコンクリートを打設する。
【０００５】
【発明が解決しようとする課題】
しかし、従来の構築方法では、張り出し部１２０の構築に当たっては、上述のように、まず、高所で鋼材を用いて支保工１２２を組み立てる必要があり、その作業には危険が伴う。そして同様の危険作業は支保工１２２を解体する場合にも行わなければならない。
また、支保工１２２は、柱部１１５に埋め込んだアンカー１２６を利用して柱部１１５に固定するので、柱部１１５のコンクリートが所定の強度に達するまでは支保工１２２の組み立て作業を開始することができず、工期を短縮する上で不利となっている。
さらに、張り出し部１２０のコンクリートを打設した後、コンクリートが所定の強度に達するまでは支保工１２２はそのままとし、解体することができないので、この点でも工期を短縮する上で不利となっている。
そこで本発明の目的は、張り出し部施工のための支保工を不要として、危険作業の解消および工期の短縮を実現できるコンクリート橋脚の構築方法を提供することにある。
【０００６】
【課題を解決するための手段】
本発明は上記目的を達成するため、プレキャストコンクリート板を組み立ててコンクリート型枠を設置し、前記コンクリート型枠内にコンクリートを打設し、ほぼ均一の断面で上下に延在する柱部と、この柱部の上端で柱部の左右に張り出された張り出し部とを有するコンクリート橋脚を構築する方法であって、前記柱部を形成する際に、柱部の内部に柱部の上端から上方に突出する縦鋼材を固定しておき、前記張り出し部をなすコンクリート型枠の内部で、前記柱部の左右に突出する箇所にわたり柱部の左右方向に延在する横鋼材を取付け、前記柱部の形成後、前記張り出し部をなすコンクリート型枠を柱部の上端に連結する際に、前記横鋼材を縦鋼材に連結し前記張り出し部をなすコンクリート型枠を柱部に仮固定するようにしたことを特徴とする。
【０００７】
また、本発明は、前記張り出し部をなすコンクリート型枠は、前記柱部の直上に位置する中央部型枠と、前記中央部型枠の左右に連結される左右の側部型枠との三つの分割体から構成されていることを特徴とする。
また、本発明は、前記柱部の最上部から、鋼材から成る複数の曲げ主材が上方に突出し、前記中央部型枠の内側に前記曲げ主材が配置されることを特徴とする。
また、本発明は、前記中央部型枠は、互いに対向する前プレキャストコンクリート板と後プレキャストコンクリート板により左右の側部及び上部並びに下部が開放状に形成されていることを特徴とする。
また、本発明は、前記左右の側部型枠は、互いに対向する前プレキャストコンクリート板と後プレキャストコンクリート板と、中央部型枠から離れた外端部箇所で前プレキャストコンクリート板と後プレキャストコンクリート板を連結する端部プレキャストコンクリート板と、中央部型枠側から外端部側に向けて徐々に上昇し前記前プレキャストコンクリート板と後プレキャストコンクリート板と端部プレキャストコンクリート板の下端を連結する底部プレキャストコンクリート板とで、上部並びに中央部型枠側が開放状に形成されていることを特徴とする。
また、本発明は、前記底部プレキャストコンクリート板の上面に、横鋼材との結合用の取り付け片が設けられていることを特徴とする。
また、本発明は、前記プレキャストコンクリート板に複数のひび割れ分散筋が埋め込まれると共に、その内面には帯鉄筋が配筋されていることを特徴とする。
【０００８】
本発明のコンクリート橋脚の構築方法では、コンクリート型枠を柱部の上部に連結するに際し、柱部の上端から上方に突出する縦鋼材と、柱部の左右方向に延在する横鋼材を利用して型枠を仮固定するようにしたので、型枠の連結作業が効率良く、簡単になされ、作業時間を短縮し、コストを低減化する上で有利となる。したがって、張り出し部を構築するために従来のように支保工を組み立てたり解体する必要がなく、また、張り出し部の構築にあたって従来のように支保工を固定するために柱部のコンクリートが硬化するのを待つ必要がなく、工期を短縮できる。
【０００９】
【発明の実施の形態】
次に、参考例から図面を参照して説明する。
図１に示すように、コンクリート橋脚１９８は、基礎部３０（フーチンク部）から立設された柱部７４と、柱部７４の上部に形成された張り出し部７６からなる。
まず、図２乃至図７を参照して柱部７４の構築に用いるコンクリート型枠２から説明する。
図２はプレキャストコンクリート板により組み立てられた、橋脚の柱部を構築するためのコンクリート型枠の平面図、図３はコンクリート型枠の分解平面図、図４の（Ａ）はコンクリート型枠の長辺部分の拡大平面図、（Ｂ）は（Ａ）のＡ矢視図、図５はコンクリート型枠体の斜視図、図６の（Ａ）は連結金具の説明図、（Ｂ）はコンクリート型枠体の拡大断面図、（Ｃ）はリブ部の拡大断面図である。
図２、図３に示すように、柱部７４に用いるコンクリート型枠２は、それぞれプレキャストコンクリート板からなる４つのコンクリート型枠体４から構成され、詳しくは、２つの第１のコンクリート型枠体６と２つの第２のコンクリート型枠体８とで平面視長方形の枠状に構成されている。
【００１０】
第１および第２のコンクリート型枠体６、８は、プレキャストコンクリート板からなる型枠本体１０を備え、型枠本体１０は互いに平行して対向する上辺と下辺、これら上辺と下辺よりも短い左辺と右辺とにより長方形の板状に形成され、第２のコンクリート型枠体８の型枠本体１０の左右辺には屈曲部１２が形成されている。
型枠本体１０の厚さは約５０ｍｍ〜１００ｍｍ程度で、運搬および後打ちコンクリート打設時にひびわれが発生しないように、補強材として鉄筋、繊維またはファイバが用いられている。
また、型枠本体１０の内面１４には、後打コンクリートとの一体性が図られるように、はけ引き処理、洗い出し処理など粗面仕上げがなされている。
【００１１】
型枠本体１０の内面１４には、後打コンクリートの側圧に対処するため、図２、図５に示すように、断面が台形状のリブ１６が、左右方向に間隔をおいた複数箇所にその上辺と下辺とにわたり上下に延在形成され、型枠本体１０の剛性が高められている。
リブ１６の間隔は、後打ちコンクリートの打設高さ、スランプ、コンクリート温度、打設速度を勘案して適宜決定される。
型枠本体１０の内部には、図６の（Ｂ）、（Ｃ）に示すように、複数のひび割れ分散筋１８が、上下左右方向に格子状に埋め込まれている。
【００１２】
帯鉄筋２０はその中間部がリブ１６に埋設され、型枠本体１０の内面１４との間に距離をおいて内面１４および上下の辺と平行して延在形成され、図５に示すように左右の辺の延在方向に間隔をおいて複数設けられている。
帯鉄筋２０は、図３に示すように第１のコンクリート型枠体６では上下の辺よりも長く形成され、第２のコンクリート型枠体８では上下の辺の全長にわたる長さで形成されている。
帯鉄筋２０の両端には屈曲部１３が形成されている。これらの屈曲部１３は共に、コの字状に形成されている。
内面１４と帯鉄筋２０との間隔は、後打ちコンクリート打設時のコンクリートの充填性を考慮して最大粗骨材寸法以上とすることが望ましい。
【００１３】
図６の（Ａ）に示すように、各コンクリート型枠体４の型枠本体１０の上下左右辺の各縁部寄りの箇所には、コンクリート型枠体４相互を連結するための連結金具取着用金具が縁部の全長にわたり所定の間隔をおいて複数埋設されている。実施例では連結金具取着用金具として埋め込みボルト２２が用いられている。
また、図７に示すように、組み立てられたコンクリート型枠２の対向する型枠本体１０間にはセパレータ２４が取り付けられ、このセパレータ取り付け用のセパレータ取り付け金具が、各型枠本体１０の上下左右に間隔をおいた複数箇所に埋設固定されている。実施例ではセパレータ取り付け金具として埋め込みボルト２６が用いられ、埋め込みボルト２６の先端は型枠本体１０の内面１４から、あるいは、リブ１６の先端面から突出している。
【００１４】
次に、上述したコンクリート型枠２を用いたコンクリート橋脚１９８の柱部７４の構築について説明する。
最初に、構築すべきコンクリート橋脚箇所に図８に示すように、基礎部３０（フーチンク部）を施工後、構築すべきコンクリート橋脚の外側の４面に作業足場３２を組み立て、基礎部３０には複数の曲げ主材３４を立設する。
曲げ主材３４は図９の（Ａ）および（Ｂ）に示すように、４本の鉄筋３６が正方形の各角部に位置するように、４本の鉄筋３６の延在方向に間隔をおいた複数箇所において、４本の鉄筋３６の間に組み立て筋３８や、あるいはプレートが介在され、４本の鉄筋３６が正方形の各角部に保持されるように構成されている。
【００１５】
一方、構築すべきコンクリート橋脚箇所とは離れた箇所において、コンクリート型枠２を平面視長方形の枠状に組み立てる。
図１０の（Ａ）は柱部の型枠の分解平面図、（Ｂ）は組み立て後の柱部の型枠の平面図、（C）は柱部の型枠を積み上げた状態の平面図である。
コンクリート型枠体４の組み立ては、図１０の（Ａ）、（Ｂ）に示すように２つの第１のコンクリート型枠体６を対向させ、それらの端部間に、長方形の短辺を成すように第２のコンクリート型枠体８を配置し、第２のコンクリート型枠体８の両端を、図６の（Ａ）に示すように、連結具４０により第１のコンクリート型枠体６に連結する。なお、連結具４０は埋め込みボルト２２を挿通させ、埋め込みボルト２２の先端にナット４２を締め付けることで固定される。
これにより、型枠本体１０の内面１４においてリブ１６が上下に延在し、帯鉄筋２０が型枠本体１０の内面１４と距離をおいて内面１４および上下の辺と平行して延在し、帯鉄筋２０の端部が型枠本体１０の内面１４から直角に突出する。
【００１６】
次に図１０の（Ａ）および（Ｂ）に示すように、コンクリート型枠２の短辺方向に中間帯筋４４を延在させ、その両端を、コンクリート型枠２の長辺をなすコンクリート型枠体４の帯鉄筋２０に係止させて、コンクリート型枠２の長辺の延在方向に間隔をおいて３本配設する。
この場合、中間帯筋４４の両端にフックなどの係止具を設けるなどは任意である。なお、中間帯筋４４は、上下に並べられた帯鉄筋２０ごとに配置される。
【００１７】
次に、図７に示すように、埋め込みボルト２６を介して対向する型枠本体１０間にセパレータ２４を取り付け、これによりコンクリート型枠２が完成する。
セパレータ２４は例えば、一端にＬ字状の支辺４６が取着され、他端に右ネジが形成された第１のロッド４８と、一端にＬ字状の支辺４６が取着され、他端に右ネジが形成された第２のロッド５２と、第１のロッド４８の右ネジに歯合しかつ第２のロッド５２の左ネジに歯合するターンバックル５４などから構成されている。なお、セパレータ２４は、上下方向に間隔をおいた複数箇所においてコンクリート型枠２の長辺と短辺に平行させて複数配設される。
【００１８】
コンクリート型枠２の組み立てを完了すると、次に、図１１に示すように、揚重機７０によりまずコンクリート型枠２を吊り上げ、構築すべきコンクリート橋脚箇所に、図１０（C）に示すように、コンクリート型枠２の内側に曲げ主材３４が位置するように吊り下ろし、適宜固定手段によりコンクリート型枠２を基礎部３０上に固定する。
以下同様にして、基礎部３０上に例えば合計３つのコンクリート型枠２を順次積み上げていく。
その後、積み重ねたコンクリート型枠２内にコンクリートを打設し、打設したコンクリートと共にコンクリート型枠２をコンクリート橋脚の一部として残存させる。
【００１９】
次に、打設したコンクリートを養生させる間に、図１２に示すように、作業足場３２を上方に組み上げ、曲げ主材３４を、所定の連結具を用いて上方に継ぎ足す。そして、コンクリートの養生および曲げ主材３４の継ぎ足しの後、上述の場合と同様にして３つのコンクリート型枠２を順次積み上げていき、上記固定手段、連結部、ボルト、ナットを用いてコンクリート型枠２どうしを連結する。その後、コンクリートをコンクリート型枠２内に打設し、所定の強度となるまで養生させる。
【００２０】
コンクリート型枠２の組み立てを完了すると、橋脚構築箇所において作業足場３２を上方に組み上げ、曲げ主材３４を、所定の連結具を用いて、コンクリート橋脚の上端近傍に到達する高さにまで継ぎ足す。ただし、柱部７４の４角にそれぞれ位置する２本（全体で８本）の曲げ主材３４はこの段階では継ぎ足さず、後に、型枠を設置した段階で組み立てる。
そして、上述の場合と同様に揚重機７０によりまずコンクリート型枠２を吊り上げ、すでに構築した柱部７４の頂部に、コンクリート型枠２の内側に継ぎ足した曲げ主材３４が位置するように吊り下ろし、適宜固定手段によりコンクリート型枠２を構築済みの柱部７４の上に固定する。
その後、コンクリート型枠２内にコンクリートを打設し、養生させて柱部７４を構築する。ただし、この場合には、コンクリートは柱部７４の最上部よりも下方の箇所まで打設し、したがってこの工程では、この箇所までの柱部７４が完成する。
【００２１】
なお、張り出し部７６の直下の柱部７４を構築する際に、図１３に示すように、前後左右に間隔おいてＨ型鋼からなる４本の縦鋼材２００をコンクリート中に埋設固定し、縦鋼材２００の上部を柱部７４の上端から上方に突出させる。
そして、前側の左右の縦鋼材２００の上端にそれぞれ取り付けて、また、後側の左右の縦鋼材２００の上端にそれぞれ取り付けて、Ｉ型鋼やＬ型鋼からなる横鋼材１０２を水平方向に延在させ、横鋼材２０２の両端を柱部７４の左右に突出させておく。
【００２２】
つづいて張り出し部７６を構築する。
まず、張り出し部７６を形成するコンクリート型枠２０４を、コンクリート橋脚の構築箇所とは別の箇所で組み立てる。
図１３は、柱部７４の最上部および張り出し部７６まで構築したコンクリート橋脚を示す一部断面正面図、図１４は張り出し部７６を形成するコンクリート型枠の分解平面図である。
【００２３】
コンクリート型枠２０４は、図１に示したように、柱部７４の直上に位置する中央部型枠２０６と、前記中央部型枠２０６の左右に連結される左右の側部型枠２０８との三つの分割体で構成され、セパレータ２４などを用いて形成する。各コンクリート型枠２０６，２０８の組み立て方法は、上述したコンクリート型枠２を組み立てる場合と基本的に同じである。
図１４に示すように、中央部型枠２０６は、互いに対向する前プレキャストコンクリート板２１０と後プレキャストコンクリート板２１２により左右の側部及び上部並びに下部が開放状に形成されている。
【００２４】
前後のプレキャストコンクリート板２１０、２１２はそれぞれ２枚のプレキャストコンクリート板が連結して構成され、前記と同様に、それらの内部に複数のひび割れ分散筋１８が上下左右方向に格子状に埋め込まれ（図６（C））、また、内面１４には、断面が台形状のリブ１６が、左右方向に間隔をおいた複数箇所にその上辺と下辺とにわたり上下に延在形成され、帯鉄筋２０がその中間部をリブ１６に埋設されて、内面１４との間に距離をおき内面１４の上下の辺と平行し上下に間隔をおいて複数延在形成されている。
また、前後のプレキャストコンクリート板２１０、２１２の互いに対向する箇所は、前後方向に延在するセパレータ２４（図７）や中間帯鉄筋４４により連結されている。セパレータ取り付け金具として前記と同様に埋め込みボルト２６が用いられ、埋め込みボルト２６の先端はプレキャストコンクリート板２１０、２１２の内面１４から、あるいは、リブ１６の先端面から突出している。
さらに、左右方向に延在し左右の側部型枠２０８間を連結するための複数のセパレータ２４や中間帯鉄筋４４の中間部が、前記の前後方向に延在するセパレータ２４に仮固定されている。
【００２５】
前記左右の側部型枠２０８は互いに左右対称であり、前後のプレキャストコンクリート板２２０、２２２と、中央部型枠２０６から離れた外端部箇所で前プレキャストコンクリート板２２０と後プレキャストコンクリート板２２２を連結する端部プレキャストコンクリート板２２４と、底部プレキャストコンクリート板２２６で、上方及び中央部型枠２０６側に向けて開放状に形成されている。
前記前後のプレキャストコンクリート板２２０、２２２は互いに対向し、それぞれ屈曲部１２を有している。
前記底部プレキャストコンクリート板２２６は、図１３に示すように、中央部型枠２０６側から外端部側に向けて徐々に上昇するように傾斜して設けられ、前プレキャストコンクリート板２２０と後プレキャストコンクリート板２２２と端部プレキャストコンクリート板２２４の下端を連結している。
【００２６】
前記左右の側部型枠２０８には、柱部７４の型枠の場合と同様に、ひび割れ分散筋１８が上下左右方向に格子状に埋め込まれ（図６（C））、また、内面１４には、断面が台形状のリブ１６が、左右方向に間隔をおいた複数箇所にその上辺と下辺とにわたり上下に延在形成され、帯鉄筋２０がその中間部をリブ１６に埋設されて、内面１４との間に距離をおき内面１４の上下の辺と平行し上下に間隔をおいて複数延在形成されている。
また、前後のプレキャストコンクリート板２２０，２２２の互いに対向する箇所は、前後方向に延在するセパレータ２４や中間帯鉄筋４４により連結されている。セパレータ取り付け金具として前記と同様に埋め込みボルト２６が用いられ、埋め込みボルト２６の先端はプレキャストコンクリート板２２０，２２２、２２４の内面１４から、あるいは、リブ１６の先端面から突出している。
さらに、前記底部プレキャストコンクリート板２２６上の前後に間隔をおいた２箇所に、前記横鋼材２０２の端部に結合するための取り付け片２２８が立設されている。
【００２７】
このようにして、中央部型枠２０６と左右の側部型枠２０８を組み立てたならば、図１５（Ｂ）に示すように、揚重機により吊り下げ具２３０を用いて中央部型枠２０６を吊り上げ、図１４に示したように、曲げ主材３４が内側に入るようにして、すでに構築した柱部７４の上に積み重ね、固定する。そして、４つの角部においてそれぞれ２本ずつの曲げ主材３４を、他の曲げ主材３４と同じ高さにまで継ぎ足す。
【００２８】
次に、図１５（Ａ）または（Ｃ）に示すように、左右の側部型枠２０８の一方を、揚重機により吊り下げ具２３０を用いて吊り上げ、双方の型枠の端部どうしを突き合わせ、前記柱部７４の場合と同様に、連結具４０、埋め込みボルト２２、ナット４２（図６（A））を用いて中央部型枠２０６の側部に連結する。
次に、残りの側部型枠２０８の吊り上げ、同様に中央部型枠２０６の他方の側部に連結し、左右の側部型枠２０８相互を、中央部型枠２０６のセパレータ２４に仮固定された左右方向に延在する複数のセパレータ２４により連結する。
そして、図１３に示すように、左右の側部型枠２０８を中央部型枠２０６の側部に連結するに際しては、まず、横鋼材２０２の端部と連結片２２８とを、ボルト、ナットなどのような連結具２３２を用いて連結する。
このように、横鋼材２０２の端部と連結片２２８とを連結することで、側部型枠２０８が柱部７４や中央部型枠２０６に対して仮固定されるので、連結具４０や埋め込みボルト２２、ナット４２を用いた型枠相互の連結作業が効率良く、簡単になされる。
その後、中央部型枠２０６と左右の側部型枠２０８によりコンクリート型枠２０４が組み立てられたならば、コンクリート型枠２０４内にコンクリートを打設し、コンクリート型枠２０４をコンクリート橋脚１９８の一部として残存させ、コンクリート養生後、柱部７４の最上部に張り出し部７６が完成する。
【００２９】
この参考例では、上述のように、コンクリート型枠２０４を、中央部型枠２０６と左右の側部型枠２０８との三つの分割体で構成し、揚重機により各分割体を個別に吊り上げるので、張り出し部７６を形成するに際して小型の揚重機を用いることが可能となり、コストを低減化する上で有利となる。
また、左右の側部型枠２０８を中央部型枠２０６の側部に連結するに際し、横鋼材２０２を用いて側部型枠２０８を柱部７４の最上部の上方に仮固定するようにしたので、左右の側部型枠２０８と中央部型枠２０６の連結作業が効率良く、簡単になされ、作業時間を短縮し、コストを低減化する上で有利となる。
また、張り出し部７６を構築するために従来のように支保工を組み立てたり解体する必要がなく、支保工の組み立ておよび解体に伴う危険作業は一切不要となる。また、張り出し部７６の構築にあたって、従来のように支保工を固定するために柱部７４のコンクリートが硬化するのを待つ必要がなく、したがって工期を短縮できる。
【００３０】
次に本実施の形態について図１６及び図１７を参照して説明する。
図１６、図１８は、本実施の形態にかかるコンクリート型枠を吊り上げた状態の説明図、図１７の（Ａ）は図１６のAA線断面図、（Ｂ）は図１６のBB線断面図、（Ｃ）は柱部の上部の断面図である。
本実施の形態では、図１３に示す前記縦鋼材２００及び横鋼材２０２を用いる点において同様であるが、本実施の形態では、橋脚の構築箇所から離れた場所で、図１４の状態から図１７（Ａ）、（Ｂ）に示すように、中央部型枠２０６及び左右の側部型枠２０８ならびに横鋼材２０２を組み付けてコンクリート型枠２０４を形成しておき、揚重機によりこのコンクリート型枠２０４を吊り上げ、柱部７４の上部に設置するようにし、この際に、縦鋼材２００及び横鋼材２０２を利用する点が異なる。
すなわち、本実施の形態では、図１７（Ａ）、（Ｂ）に示すように、中央部型枠２０６及び左右の側部型枠２０８の構成は図１４に示す前記参考例と同様であり、対向する各型枠箇所がセパレータ２４や中間帯鉄筋４４により連結されているが、さらに、左右の側部型枠２０８の底部プレキャストコンクリート板２２６上の取り付け片２２８間に横鋼材２０２がボルト、ナットなどの連結具２３２により連結されている。
【００３１】
本実施の形態では、揚重機により吊り下げ具２３０を用いてコンクリート型枠２０４を吊り上げ、図１７（Ａ）、（Ｂ）に示したように、曲げ主材３４が内側に入るようにして、すでに構築した柱部７４の上に積み重ね固定する。また、４つの角部においてそれぞれ２本ずつの曲げ主材３４を、他の曲げ主材３４と同じ高さにまで継ぎ足す。
そして、コンクリート型枠２０４を柱部７４の上に積み重ね固定する場合、図１３に示すように、まず、縦鋼材２００の上端に横鋼材２０２を連結する。縦鋼材２００の上端と横鋼材２０２との連結は、例えば、縦鋼材２００の上端に二股部を形成しておき、この二股部に横鋼材を挿入し、ボルトナットで締め付けるなど、種々の態様が考えられ、連結する構成は任意である。
このように縦鋼材２００の上端に横鋼材２０２を連結することで、コンクリート型枠２０４が柱部７４の上端に仮固定されるので、連結具４０や埋め込みボルト２２、ナット４２（図６（Ａ））を用いた柱部７４側の型枠との連結作業が効率良く、簡単になされる。その後、コンクリート型枠２０４内にコンクリートを打設し、コンクリート養生後、柱部７４の最上部に張り出し部７６が完成する。
【００３２】
本実施の形態では、参考例に比べ、中央部型枠２０６と左右の側部型枠２０８が組み付けられたコンクリート型枠２０４を吊り上げるので、参考例よりも大型の揚重機を用いる点において異なるが、コンクリート型枠２０４を柱部７４の上端に連結するに際し、縦鋼材２００と横鋼材２０２を利用することで、コンクリート型枠２０４が柱部７４の上端に仮固定されるので、コンクリート型枠２０４と柱部７４の上端との連結作業が効率良く、簡単になされ、作業時間を短縮し、コストを低減化する上で有利となる。
また、支保工の組み立ておよび解体に伴う危険作業が一切不要となり、従来のように支保工を固定するために柱部７４のコンクリートが硬化するのを待つ必要がなく、工期を短縮できる点においても前記参考例と同様である。
【００３３】
【発明の効果】
以上説明したように本発明は、柱部を形成する際に、柱部の内部に柱部の上端から上方に突出する縦鋼材を固定しておき、張り出し部をなすコンクリート型枠の内部で、柱部の左右に突出する箇所にわたり柱部の左右方向に延在する横鋼材を取付け、柱部の形成後、張り出し部をなすコンクリート型枠を柱部の上端に連結する際に、横鋼材を縦鋼材に連結し張り出し部をなすコンクリート型枠を柱部に仮固定するようにした。そのため、張り出し部施工のための支保工を不要として、危険作業の解消および工期の短縮を実現することが可能となる。
【図面の簡単な説明】
【図１】  コンクリート橋脚の正面図である。
【図２】  プレキャストコンクリート板から組み立てられた、橋脚の柱部を構築するためのコンクリート型枠の平面図である。
【図３】  コンクリート型枠の分解平面図である。
【図４】  （Ａ）はコンクリート型枠の長辺部分の拡大平面図、（Ｂ）は（Ａ）のＡ矢視図である。
【図５】  コンクリート型枠体の斜視図である。
【図６】  （Ａ）は連結金具の説明図、（Ｂ）はコンクリート型枠体の拡大断面図、（Ｃ）はリブ部の拡大断面図である。
【図７】  セパレータの取り付けの説明図である。
【図８】  コンクリート橋脚の構築方法における基礎の構築および曲げ主材の立設を示す説明図である。
【図９】  （Ａ）は曲げ主材の斜視図、（Ｂ）は曲げ主材の平面図である。
【図１０】  （Ａ）は柱部の型枠の分解平面図、（Ｂ）は組み立て後の柱部の型枠の平面図、（Ｃ）は柱部の型枠を積み上げた状態の平面図である。
【図１１】  コンクリート橋脚の構築方法におけるコンクリート型枠の設置を示す説明図である。
【図１２】  コンクリート橋脚の構築方法における曲げ主材の継ぎ足しを示す説明図である。
【図１３】  柱部の最上部および張り出し部まで構築したコンクリート橋脚を示す一部断面正面図である。
【図１４】  張り出し部を形成するコンクリート型枠の分解平面図である。
【図１５】  （Ａ）は左側の側部型枠を吊り上げた状態の説明図、（Ｂ）は中央部型枠を吊り上げた状態の説明図、（Ｃ）は右側の側部型枠を吊り上げた状態の説明図である。
【図１６】  本実施の形態にかかるコンクリート型枠を吊り上げた状態の説明図である。
【図１７】  （Ａ）は図１６のAA線断面図、（Ｂ）は図１６のBB線断面図、（Ｃ）は柱部の上部の断面図である。
【図１８】  本実施の形態にかかるコンクリート型枠を吊り上げた状態の説明図である。
【図１９】  （Ａ）、（Ｂ）は従来のコンクリート橋脚の構築方法を示す説明図である。
【図２０】  （Ａ）、（Ｂ）は従来のコンクリート橋脚の構築方法を示す説明図である。
【図２１】  構築されたコンクリート橋脚の柱部の断面平面図である。
【図２２】  コンクリート橋脚の張り出し部の構築方法を示す説明図である。
【符号の説明】
２、２０４  コンクリート型枠
３０  基礎部
３４  曲げ主材
７４  柱部
７６  張り出し部
２００  縦鋼材
２０２  横鋼材
２０６  中央部型枠
２０８  側部型枠
【図１】
0003945668.tif 000002
【図２】
0003945668.tif 000003
【図３】
0003945668.tif 000004
【図４】
0003945668.tif 000005
【図５】
0003945668.tif 000006
【図６】
0003945668.tif 000007
【図７】
0003945668.tif 000008
【図８】
0003945668.tif 000009
【図９】
0003945668.tif 000010
【図１０】
0003945668.tif 000011
【図１１】
0003945668.tif 000012
【図１２】
0003945668.tif 000013
【図１３】
0003945668.tif 000014
【図１４】
0003945668.tif 000015
【図１５】
0003945668.tif 000016
【図１６】
0003945668.tif 000017
【図１７】
0003945668.tif 000018
【図１８】
0003945668.tif 000019
【図１９】
0003945668.tif 000020
【図２０】
0003945668.tif 000021
【図２１】
0003945668.tif 000022
【図２２】
0003945668.tif 000023